(57)【要約】【課題】開口部を開く作業を不要として汲み上げ後の利便性を向上させ、長期間に亘って開口部若しくはその近傍の耐久性を向上させることができる水汲みバケツの提供。【解決手段】成樹脂シートで形成され上端に開口部を有するバケツ本体と、開口部近傍に締紐と該締紐を通す穴部を備え、開口部若しくはその近傍に錘を備え、水の汲み上げ時に開口部が縮径状態となり、開口部周縁に反発弾性材を有する復元縁部を備え、締紐のうち開口部の内側に配置される部分に、前記締紐に貫通される引絞規制体を備え、引絞規制体の外径が前記締紐を通す穴部の内径よりも大きく、締紐のうち吊下部以外でバケツ本体の外側に露呈する締紐の夫々に固定部を備えた水汲みバケツ。【選択図】図１
2015054698.tif 000002
【特許請求の範囲】
【請求項１】
合成樹脂シートで形成され上端に開口部を有するバケツ本体と、前記開口部近傍に締紐と該締紐を通す穴部を備え、開口部若しくはその近傍に錘を備え、水の汲み上げ時に前記開口部が縮径状態となる水汲みバケツにおいて、
開口部周縁に反発弾性材を有する復元縁部を備え、
締紐のうち開口部の内側に配置される部分に、前記締紐に貫通される引絞規制体を備え、
該引絞規制体の外径が前記締紐を通す穴部の内径よりも大きいものとし、
締紐のうち吊下部以外でバケツ本体の外側に露呈する締紐の夫々に固定部を備えたことを特徴とする水汲みバケツ。
【請求項２】
前記固定部は、バケツ本体の外側に露呈する締紐の左右両側位置に配置し、且つ、該固定部間の距離は、該固定部が締紐の両端で近接若しくは当接する穴部間の距離以下であり、水を汲んだ状態において前記締紐の弛みを生じないものとしたことを特徴とする請求項１記載の水汲みバケツ。
【請求項３】
前記復元縁部は、反発弾性材をバケツ本体の開口部内縁に沿って設け、縁枠用シート部材で前記反発弾性材及びバケツ本体の開口部縁を一体に被覆したことを特徴とする請求項１又は２記載の水汲みバケツ。
【請求項４】
前記穴部は鳩目からなり、固定部と近接若しくは当接する鳩目の内径が、吊下部と当接する鳩目の内径よりも小さいことを特徴とする請求項１、２又は３記載の水汲みバケツ。
【発明の詳細な説明】
【技術分野】
【０００１】
本発明は、高所から水中へバケツ本体を投下し、付属の引紐を手繰り寄せることで水汲みを行う、水汲み用バケツに関する。
【背景技術】
【０００２】
水汲みバケツは、手洗い、水遊び、釣りでの餌の調製や物品の洗浄等、水が必要となった際に、水を海や河川等から汲み取るものである。
使用に際しては、バケツ本体を水中へ投下し、バケツ本体内に水が満たされた後、バケツ本体に付属された引紐を手繰り寄せる操作を行う。
ところが、バケツ本体の開口部が水中の障害物や岩場等と接触したり、引掛かったりすることがあり、不便である上に、バケツ本体の破損や消耗も大きくなる欠点があった。
また、水中では水の流れや波等があり、開口部が全開の状態では、非常に強い力で引っ張られることがあり、引紐を持つ手を痛めたり、バランスを崩して転倒する危険性もある。
【０００３】
このような欠点を解消すべく、容器を引き上げた際に容器の開口部が閉じる構造を備えたものとして、例えば、上方が開口した実質的に柱状の容器本体の側壁の開口側周縁近傍に、該側壁の全周に沿って四つの穿孔が順に設けられており、そのうち二つの穿孔には第一紐が挿通され、かつ、残る二つの穿孔には第二紐が挿通されており、前記第一紐の一端と第二紐の一端が繋がって連結部５が形成されており、第一紐の他端及び第二紐の他端には、前記穿孔の内径よりも大きな外径を有する二つの止め部がそれぞれ設けられており、前記容器本体に水が入った状態で前記連結部を引っ張った際に、前記容器本体の側壁が変形して該容器本体の開口部が実質的に直線状となって閉塞可能である釣用容器が公知である（例えば、特許文献１参照。）。
【０００４】
また、容器の開口部が閉塞する構成を備えたものではないが、合成樹脂のシ−トで形成された釣り用バケツにおいて、容器体の開口部を、前記容器体を形成するシ−トより厚い厚みを有し、前記開口部の内側から外側へ湾曲状に成形したカバ−体で覆い、容器体は、開口部に沿ってフレ−ムを有し、前記湾曲状に成形したカバ−体はフレ−ムの外径より大きな内径を有し、前記フレ−ムを覆っている釣り用バケツが公知である（例えば、特許文献２参照。）。
【０００５】
更に、本出願人が先にした発明として、合成樹脂シートで形成され上端に開口部を有するバケツ本体と、前記開口部近傍に取着される締紐と、前記開口部を補強する補強手段とを備えた水汲みバケツにおいて、前記補強手段は、少なくとも一部に柔軟性の可撓部を有し、水の汲み上げ時において可撓部が変形して開口部が縮径状態となることを特徴とする水汲みバケツが公知である（例えば、特許文献３参照。）。尚、特許文献３に係る発明において、開口部の縮径状態とは、開口部が円形若しくは楕円形であれば、その外径寸法が小さくなる状態であり、開口部が多角形であれば、多角形の各頂点を通る円形若しくは楕円形の仮想輪郭線の直径寸法が小さくなる状態をいうものとしている。
【先行技術文献】
【特許文献】
【０００６】
【特許文献１】特開平１０−１０８６０６号公報
【特許文献２】特開２００５−２０４５５１号公報
【特許文献３】特開２０１０−１４９９２６号公報
【発明の概要】
【発明が解決しようとする課題】
【０００７】
上記特許文献１に係る発明は、容器本体の開口部が実質的に直線状となって閉塞する。
このため、バケツ本体の開口部が水中の障害物や岩場等と接触したり、引掛かったりすることを、ある程度解消できる。また、当該特許文献１には開示されていないものの、開口部が閉塞することで、引紐を手繰り寄せる操作を行う際に、水の抵抗が小さくなり、水汲み作業を容易とする効果が得られる。
【０００８】
しかし、閉塞された開口部の両端が側方へ張り出すため、張り出した部分が、水中の障害物や岩場等と接触したり、引掛かったりすることがあり、上記欠点を完全には解消できないものであった。また、この開口部の張り出した部分は、特に水中の障害物や岩場等と接触しやすく、傷みが早い欠点がある。
更に、当該特許文献１の構成によれば、開口部が直線状に閉塞する際にバケツ本体の全体が変形する。このため一旦容器内に汲み入れた水が、開口部の閉塞に至るまでに大量に溢れ、バケツ本体の大きさに対して十分量の水を汲み出し難い欠点がある。
【０００９】
一方、特許文献２に係る発明は、開口部が容器体を形成する合成樹脂シ−トより厚い厚みを有するカバ−体で覆われているため、水が汲み上げられるときカバ−体が崖や防波堤の壁面に沿って引きずり上げられても破損し難い特性を有する。
【００１０】
しかし、特許文献２に係る発明は、開口部の形状が変わらないため、引紐を手繰り寄せる操作を行う際に、水の抵抗が大きくなり、水汲み作業に労を要するものであった。
【００１１】
次に、特許文献３に係る発明は、開口部の大きさが縮径することによって、水の抵抗が小さくなり水汲み作業を容易とする効果が得られ、また開口部の側方への張り出し量が低減されることによって、水中の障害物や岩場等との接触を著しく低減できる効果を奏することができ、前記特許文献１、２の不具合を大幅に低減できる点で、優れたものであった。
【００１２】
しかしながら、水を汲み上げた後に当該水汲みバケツを載置すると開口部が縮径した状態が強固に保持され、その後使用する際に、開口部を大きく開く作業を行う必要があった。
このため、例えば、手が汚れている状態で開口作業を行うと水汲みバケツの開口部や外側面、締紐等を汚したり、釣り上げた魚や釣竿等の他物を片手で保持している状態で、水汲みバケツの縮径状態が保たれていると、片手で開口部を開く作業を行わなければならず、作業者にとって不便となることがあった。
【００１３】
また、開口部が縮径、拡径の際に、開口部近傍の生地の変形する箇所は一定の箇所となるため、当該縮径、拡径が繰り返されることによって、当該箇所が傷みやすくなる。このため、従来と比較して開口部の縮径によって岩場等との接触を避け、偶発的な事故を回避することによってより長期間の使用を可能としているものの、構造的により長期間に亘って耐久性を確保できることが望ましい。
【００１４】
本発明は、以上の事情に鑑みてなされるものであり、安定して十分な水量の水汲みを行うことができ、開口部を開く作業を不要として汲み上げ後の利便性を向上させるとともに長期間に亘って開口部若しくはその近傍の耐久性を向上させることができる、優れた水汲みバケツの提供を、発明が解決しようとする課題とする。
【課題を解決するための手段】
【００１５】
合成樹脂シートで形成され上端に開口部を有するバケツ本体と、前記開口部近傍に締紐と該締紐を通す穴部を備え、開口部若しくはその近傍に錘を備え、水の汲み上げ時に前記開口部が縮径状態となる水汲みバケツにおいて、開口部周縁に反発弾性材を有する復元縁部を備え、締紐のうち開口部の内側に配置される部分に、前記締紐に貫通される引絞規制体を備え、該引絞規制体の外径が前記締紐を通す穴部の内径よりも大きいものとし、締紐のうち吊下部以外でバケツ本体の外側に露呈する締紐の夫々に固定部を備えたことを特徴とする水汲みバケツを、課題を解決するための手段とする。
尚、本発明において、開口部が縮径状態となる水汲みバケツとは、開口部が円形若しくは楕円形であれば、その外径寸法が小さくなる状態であり、開口部が多角形であれば、多角形の各頂点を通る円形若しくは楕円形の仮想輪郭線の直径寸法が小さくなる状態となる水汲みバケツをいうものとしている。
【００１６】
また本発明は、上記発明の構成を前提として、前記固定部は、バケツ本体の外側に露呈する締紐の左右両側位置に配置し、且つ、該固定部材間の距離は、該固定部が締紐の両端で近接若しくは当接する穴部間の距離以下であり、水を汲んだ状態において前記締紐の弛みを生じないものとしたことを特徴とする水汲みバケツを、課題を解決するための手段とする。
【００１７】
また本発明は、上記いずれかの発明の構成を前提として、反発弾性材は、バケツ本体の開口部内縁に沿って設け、縁枠用シート部材で前記反発弾性材及びバケツ本体の開口部縁を被覆した構成としたことを特徴とする水汲みバケツを、課題を解決するための手段とする。
【００１８】
また本発明は、上記いずれかの発明の構成を前提として、前記穴部は鳩目からなり、固定部材と近接若しくは当接する鳩目の内径が、吊下部と当接する鳩目の内径よりも小さいことを特徴とする水汲みバケツを、課題を解決するための手段とする。
【発明の効果】
【００１９】
本発明の構成によれば、締紐のうち開口部の内側に配置される部分に、前記締紐に貫通される引絞規制体を備え、該引絞規制体の外形寸法が前記締紐を通す穴部の内径よりも大きいものとしたことによって、水の汲み上げ時において、前記引絞規制体がバケツ本体の外側に抜けることがなく当該引絞規制体の両端によってバケツ本体の開口部の一定以上の縮径を阻止する。
【００２０】
そして、汲み上げ後当該水汲みバケツを載置すると、開口部周縁に取着された反発弾性材による反発弾性と汲んだ水の重量によって、軽度に縮径された開口部を拡径状態に戻す。
このため、何らの作業を行うことなく、水汲みバケツを開口状態とすることができる。
【００２１】
また、前記引絞規制体を締紐のうち開口部の内側に配置される部分に備えたことによって、バケツ本体の開口部の一定以上の縮径を阻止したことと、開口部周縁に取着された反発弾性材による反発弾性と汲んだ水の重量によるその後の復元拡径によって、縮径、拡径が繰り返される生地の変形箇所に過度に負担がかからず、水汲みバケツの耐久性を向上させることができる。
【００２２】
更に、本願発明の構成によれば、水汲み時においてバケツ本体の上部にある開口部が主として変形し、その変形も汲み上げ時の抵抗を低減しつつ、引絞規制体の両端によって当該開口部の一定以上の縮径を阻止するため、水汲み時の十分な容量を確保することができ、一回の水汲みで安定して十分な水量を汲み出すことができる。
【００２３】
また、請求項２に係る発明によれば、上記発明の構成を前提とすることで上記作用効果を奏する上に、吊下部以外のバケツ本体の外側に露呈する締紐の左右両側位置に固定部を設けたことから、吊り下げ部以外のバケツ本体の側面が水の重量に負けて外側へ変形することを抑制する。また、固定部材間の距離、即ち当該固定部材間の締紐の長さは、該固定部が締紐の両端で近接若しくは当接する穴部間の距離以下であり、水を汲んだ状態において前記固定部材間の締紐の弛みを生じないものとしたことによって、引紐の引張に伴い締紐が引張され、各同一壁部内の固定部材が相対的に離間するように分力が作用し、当該固定部材が構成生地を介して各引絞規制体を押圧するところ、固定部間の締紐によって、固定部による引絞規制体への負荷を低減することができる。このため、引絞規制体を含めた当該水汲みバケツの耐久性を向上させることができる。また、水汲み時において、より安定した状態を確保することができる。
【００２４】
また、請求項３に係る発明によれば、上記いずれかの発明の構成を前提として、前記復元縁部は、反発弾性材をバケツ本体の開口部内縁に沿って設け、縁枠用シート部材で前記反発弾性材及びバケツ本体の開口部縁を一体に被覆したこととしたから、上記いずれかの発明の作用効果を奏する上に、前記反発弾性材が開口部内縁位置によって反発弾性を発揮できるとともに、反発弾性材が縁枠用シート部材によって保護されることで当該反発弾性材が外部へ落下することがなく、耐久性を更に向上させることができる。また、反発弾性材が外部へ露呈しないため、外観体裁を良好とすることができる。
【００２５】
また、請求項４に係る発明によれば、上記いずれかの発明の構成を前提として、前記穴部は鳩目からなり、固定部材と近接若しくは当接する鳩目の内径が、吊下部と当接する鳩目の内径よりも小さいこととしたことから、上記いずれかの発明の作用効果を奏する上に、吊下部と当接する鳩目はより大径とすることで、当該吊下部と当接する鳩目が、円滑に締紐を通過させる状態とし、速やかに吊下げ状態を実現できるようにするとともに、固定部材と近接若しくは当接する鳩目の内径を相対的に小さくすることで、当該鳩目との接触部分で引絞る際の若干の抵抗を有するものとして、前記引絞規制体に対して直接的に急激な衝撃を与え難いものとすることができ、更に、引絞規制体を含めた耐久性を向上させ、これらのバランスにより使い易さと耐久性を兼備させることができる。
【図面の簡単な説明】
【００２６】
【図１】本発明の実施例に係る水汲みバケツを示す斜視図である。
【図２】本発明の実施例に係る水汲みバケツを示す右側面図である。
【図３】本発明の実施例に係る水汲みバケツを示す背面図である。
【図４】本発明の実施例に係る水汲みバケツの開口部の一部を破断した拡大説明図である。
【図５】本発明の実施例に係る水汲みバケツの開口状態（拡径状態）を示す平面視一部断面図である。
【図６】本発明の実施例に係る水汲みバケツの縮径状態（引絞状態）を示す平面視一部断面図である。
【図７】本発明の実施例に係る水汲みバケツの締紐、各鳩目、固定部、引絞規制体における内径若しくは外径を示す説明図である。ここで、締紐は断面を示す。
【発明を実施するための形態】
【００２７】
本発明は、合成樹脂シートで形成され上端に開口部を有するバケツ本体と、前記開口部近傍に締紐と該締紐を通す穴部を備え、開口部若しくはその近傍に錘を備え、水の汲み上げ時に前記開口部が縮径状態となる水汲みバケツにおいて、開口部周縁に反発弾性材を有する復元縁部を備え、締紐のうち開口部の内側に配置される部分に、前記締紐に貫通される引絞規制体を備え、該引絞規制体の外径が前記締紐を通す穴部の内径よりも大きいものとし、締紐のうち吊下部以外でバケツ本体の外側に露呈する締紐の夫々に固定部を備えたことによって、汲み上げ時において、前記引絞規制体がバケツ本体の外側に抜けることがなく当該引絞規制体の両端によってバケツ本体の開口部の一定以上の縮径を阻止するとともに、汲み上げ後当該水汲みバケツを載置すると、開口部周縁に取着された反発弾性材による反発弾性と汲んだ水の重量によって、軽度に縮径された開口部を拡径状態に戻して、何らの作業を行うことなく、水汲みバケツを開口状態とすることができ、
また、前記引絞規制体を締紐のうち開口部の内側に配置される部分に備えたことによって、バケツ本体の開口部の一定以上の縮径を阻止したことと、開口部周縁に取着された反発弾性材による反発弾性と汲んだ水の重量によるその後の復元拡径によって、縮径、拡径が繰り返される生地の変形箇所に過度に負担がかからず、水汲みバケツの耐久性を向上させることができ、
吊下部以外のバケツ本体の外側に露呈する締紐の左右両側位置に固定部を設けたこと、及び固定部材間の距離は、該固定部が締紐の両端で近接若しくは当接する穴部間の距離以下であり、水を汲んだ状態において前記締紐の弛みを生じないものとしたことによって、固定部間の締紐によって、固定部による引絞規制体への負荷を低減することができ、吊下部以外のバケツ本体の側面が水の重量に負けて外側へ変形することを抑制して水汲み時の当該水汲みバケツをより安定した状態とすることができる、優れた水汲みバケツを実現した。
【実施例】
【００２８】
本発明の実施例に係る水汲みバケツは、図１から図３に示すように、平面視略円形輪郭を有するバケツ本体１０と、該バケツ本体１０の上方の開口部１１近傍に取着した締紐２と、該締紐２に連結される引紐４を備えた構成である。
【００２９】
前記バケツ本体１０は、略円形の底面部１００と該底面部１００の円周から立ち上がる壁部（便宜上、周壁の前後左右方向に対応して、前壁部１０１、後壁部１０２、左壁部１０３及び右壁部１０４と区分して説明する。また、図面上、図１から図３においてその境界を二点鎖線にて表示する。）を有し、上端に開口部１１を形成してある。
【００３０】
前記開口部１１は、図１から図４に示すように、バケツ本体１０の開口部縁である構成材１０ａの内周縁に沿って、帯状のポリカーボネートからなる反発弾性材１１０を配置し、該反発弾性材１１０とバケツ本体１０の構成材１０ａの双方を縁枠用シート部１１１で被覆した復元縁部１２を備えた構成としている。
また、バケツ本体１０の後壁部１０２の外面側の開口部１１の近傍に、７０ｇ程度の重量を有する錘５を取着している。
【００３１】
各壁部１０１、１０２、１０３、１０４の復元縁部１２の下方位置には、締紐２を通すための穴部３を構成する鳩目３０が左右に計２個ずつ設けてある。前壁部１０１及び後壁部１０２の鳩目３０ａは小径の鳩目とし、左壁部１０３及び右壁部１０４の鳩目は大径の鳩目１０ｂとし、対向する壁面の鳩目３０の内径が一致する構成としている。
尚、本実施例では小径の鳩目３０ａとして内径５ｍｍの鳩目を用い、大径の鳩目３０ｂとして内径８ｍｍの鳩目を用いている。
【００３２】
本実施例に係る水汲みバケツ１の締紐２は、一本の締紐材２ａによって構成される。締紐材２ａは前記した各鳩目３０ａ、３０ｂをバケツ本体１０の外方側、内方側を交互に通し、当該バケツ本体１０を一周して両端を接続し、左壁部１０３及び右壁部１０４の各鳩目１０ｂ、１０ｂ間において、固定具６を取り付けるとともに小ループ２０を形成し、引紐４との連結手段を構成している。
【００３３】
本実施例における引紐４は、中央部、両端部の夫々に小ループ４０を形成してなる。両端部の小ループ４０は当該引紐４の紐材を左壁部１０３及び右壁部１０４の前記締紐２の小ループ２０に通した上で、小ループ４０を構成して連結している。尚、本実施例における小ループ２０、４０はいずれも当該紐材の先端を折り返すように輪を形成し、夫々金具２１、４１で固着した構成である。
【００３４】
前記締紐２は、各壁部１０１、１０２、１０３、１０４の左右の鳩目３０、３０間において当該壁部１０１、１０２、１０３、１０４の外側に露呈するように鳩目３０を貫通して取付けたものとし、隣接する各壁部１０１、１０２、１０３、１０４の鳩目３０、３０間においては、当該水汲みバケツ１内に締紐２が配置される。締紐２のうち、この水汲みバケツ１内における各鳩目３０、３０間に配置される箇所には、締紐２を通す引絞規制体７を設けている。該引絞規制体７は、内径６ｍｍ、長さ２５ｍｍ程度とした硬質の合成樹脂製の管状体を用いている。本実施例に係る引絞規制体７は、内径寸法と外形寸法の差を小さく設定して全体の厚みを抑えるものとし、原料の低廉化と軽量化を図るものとしている。
【００３５】
また、締紐２の吊下部２２以外となる、バケツ本体１０の前壁部１０１及び後壁部１０２の各外側に露呈する締紐２の左右両側位置に固定部６を設けている。本実施例における固定部６は、長さ１０ｍｍ程度の金属製板材を当該締紐２に捲回するようにかしめ固定してなるものである。前壁部１０１及び後壁部１０２の夫々の左右の固定部６、６間には、締紐２が連続する。当該区間の締紐２の長さは、左右の近接若しくは当接する鳩目３０ａ、３０ａ間の距離よりも小さく、且つ、水を汲んで引紐４に負荷がかかった状態において弛みを生じない長さとなっている。
【００３６】
以上に示す本実施例では、引絞規制体７の外径ｄ１は大径の鳩目３０ｂの内径ｄ３よりも大きい。また固定部の最小幅ｗ１は、小径の鳩目３０ａの内径ｄ４よりも大きい。
また、締紐２の直径は、引絞規制体の内径ｄ２、大径の鳩目３０ｂの内径ｄ３、小径の鳩目３０ａの内径ｄ４のいずれよりも小さい。（図７参照。）
尚、締紐２の表面が若干の弾性を若しくは柔軟性を有するものであれば、当該締紐２の直径と小径の鳩目３０ａの内径ｄ４とを同一とすることもできる。
【００３７】
以上の構成によって、本発明の実施例に係る水汲みバケツ１は、引紐４を把持した状態で、水中へ投下すると、錘５を有する後壁部１０２が下方となるように傾斜して、当該水汲みバケツ１が水中へ沈み、水汲みバケツ１内に水が侵入し、当該水汲みバケツ内１に水が満たされる。
【００３８】
水汲みバケツ１内に水が満たされた後、引紐４を手繰り寄せることにより、当該水汲みバケツ１を引き上げる。図６に示すように、引き上げの際の水汲みバケツ１は、汲み上げた水の重量と引紐４を引く力によって、開口部１１が絞られて縮径を開始する。縮径によって、水汲み時に岩場等との接触による当該水汲みバケツの引掛りが大幅に低減できる従来技術の効果を得ることができる。
【００３９】
そして、縮径に伴って、開口部１１の内側に配置される前記引絞規制体７の両端７０が、その周縁の構成材１０ａに当接することによって、隣接する壁部の鳩目３０ａ、３０ｂ相互間の構成材１０ａの変形を抑え、縮径の程度を制限する。このため、構成材１０ａは、過度の縮径が生じず、構成材１０ａが折曲される状態となることが防止され、開口部１１の縮径、拡径の繰り返しによる構成材１０ａの消耗を大幅に低減する。
【００４０】
また、固定部６は、上記したように、バケツ本体１０の前壁部１０１及び後壁部１０２の各外側に露呈する締紐２の左右両側位置に設けてあるため、引紐２を引いて吊下げられた状態においては、当該固定部６が鳩目３０、３０に当接し、当該構成材１０ａに対して強く押圧され、更に、固定部６、６間の締紐２の長さが左右の鳩目間の距離よりも小さく、且つ、水を汲んだ状態において前記締紐２の弛みを生じない長さとなっているため、固定部６にかかる局所的な負荷の一部を締紐２に逃すことができ、当該水汲みバケツ１の安定性及び耐久性を向上させるとともに、前壁部１０１及び後壁部１０２が外側へ不用意に開くことを防止できるものとしている。
【００４１】
そして、水を汲んだ状態で本実施例に係る水汲みバケツ１を地面に載置すると、図５に示すように、汲み取った水の重量と開口縁部に設けた復元縁部１２の反発弾性とによって、容易に開口部１１が拡径して初期の形状に復元する。このため、何らの操作を行うことなく汲み取った水を即座に使用することができ、従来と比べて利便性を飛躍的に向上させることができる。
【００４２】
以上の通り、本発明の実施例について説明したが、本発明は、上記実施例に開示したものに限るものではなく、例えば、バケツ本体１０の形状は平面視略円形のみならず、平面視矩形等とすることもできる。
【００４３】
また、本発明における引絞規制体７について、上記したように、引絞規制体７の内径ｄ２は、締紐２が摺動可能な寸法が確保されていればよい。引絞規制体７の外形寸法若しくは最小幅寸法は鳩目３０の内径以上（即ち、鳩目の穴を通らない寸法）であればよい。引絞規制体７の形状は、実施例に示した管状体に限らず、球状等やその他意匠上の特徴を有するもの等、任意の形状とすることができる。一方で、本実施例のように管状体とした場合には、両端面が鳩目に容易に当接し、安定的に締紐２の引絞りへの規制を行うものとすることができる。
更に、引絞規制体７の長さは、バケツ本体１０の構成材１０ａの変形の程度に大きく影響を与えるため、当該水汲みバケツ１のサイズ等に応じて決定するとよい。
また、引絞規制体７の材質は、上記した合成樹脂製のもののほか、例えば金属製材料を用いたものでもよく、締紐２による開口部１１の絞りに対して変形しない程度の強度が発揮できることが望ましい。しかしながら、本発明における引絞規制体７は、若干の変形を起こす場合であっても、開口部１１の一定以上の縮径を阻止できればよい趣旨である。
【００４４】
また、本発明における固定部６については、実施例に示した金属製板材をかしめ固定したものに限定するものではなく、穴部３から抜けないことが担保できればよく、例えば、締紐２に対して樹脂を溶着したり、締紐２自体によって結び目を形成したりすることによって構成したものであってもよい。
【００４５】
また、本発明においては、締紐２と引紐４とを相互の小ループ２０、４０によって連結した構成としたが、本発明は当該構成に限定されるものではなく、相互を直接締結したり、金具等によって固定する等、公知の種々の連結手段を用いることができる。
【００４６】
また、本発明においては、鳩目３０の内径を締紐２の直径以上で実質的に小さなサイズ（例えば、内径５ｍｍ程度）とすれば、当該鳩目３０（相対的に小径の鳩目３０ａ及び大径の鳩目３０ｂを用いる場合には、大径の鳩目３０ｂ）の内径よりも大きい引絞規制体７も実質的に小さくできるため、各鳩目３０（小径の鳩目３０ａ、大径の鳩目３０ｂ）及び引絞規制体７の低廉化を図ることができる。
【００４７】
また、特にバケツ本体の構成材が横向きに引っ張られた場合等、実質的に大きな鳩目の場合は生地が滑って当該鳩目が構成材から脱落しやすくなるところ、上記鳩目を実質的により小径とすることで、このような脱落の可能性を低減させ、バケツ本体の耐久性の向上に資することができる。
【符号の説明】
【００４８】
１      水汲みバケツ
１０    バケツ本体
１０ａ  構成材
１００  底面部
１０１  前壁部
１０２  後壁部
１０３  左壁部
１０４  右壁部
１１    開口部
１１０  反発弾性材
１１１  縁枠用シート材
１２    復元縁部
２      締紐
２０    小ループ
２１    金具
２２    吊下部
３      穴部
３０    鳩目
３０ａ  鳩目（小径）
３０ｂ  鳩目（大径）
４      引紐
４０    小ループ
４１    金具
５      錘
６      固定部
７      引絞規制体
７０    両端
ｄ１    外径（引絞規制体）
ｄ２    内径（引絞規制体）
ｄ３    内径（大径の鳩目）
ｄ４    内径（小径の鳩目）
ｄ５    直径（締紐）
ｗ１    最小幅（固定部）
【図１】
2015054698.tif 000003
【図２】
2015054698.tif 000004
【図３】
2015054698.tif 000005
【図４】
2015054698.tif 000006
【図５】
2015054698.tif 000007
【図６】
2015054698.tif 000008
【図７】
2015054698.tif 000009